(57)【特許請求の範囲】
【請求項１】
おもりと、
このおもりの端部側であって前記おもりの一方の側面部に取り付けられた第１の水平翼と、
前記おもりの前記端部側であって前記おもりの一方の側面部と反対側の他方の側面部に取り付けられた第２の水平翼と、
前記おもりの端部側であって前記おもりの底面部に取り付けられた下方垂直尾翼とを備え、
前記第１の水平翼及び前記第２の水平翼は、水平方向より前記下方垂直尾翼の側に傾斜している
ことを特徴とする魚釣り用おもり。
【請求項２】
おもりは長手形状部材であり、
前記長手形状部材の長手方向を横断する断面形状が前記おもりの先端部に近づくにつれ縮小するものであり、
前記長手形状部材の長手方向を横断する断面形状が前記おもりの後端部に近づくにつれ縮小するものであり、
前記おもりの重心は、前記おもりの先端部のセンターと前記おもりの後端部のセンターとを結ぶ線より下方にあり、
下方垂直尾翼は、第１の水平翼と第２の水平翼との間の前記おもりの重心に近い側の前記おもりに取り付けられている
ことを特徴とする請求項１記載の魚釣り用おもり。
【請求項３】
おもりは長手形状部材であり、
前記おもりの表面より突出する突出部と、
この突出部は、前記おもりの長手方向を横断する断面形状が最大である部分に位置すると共に、前記おもりの長手方向に沿って設けられた長手形状である
ことを特徴とする請求項１又は２記載の魚釣り用おもり。
【請求項４】
おもりの先端部より突出する弾性変形可能な先端棒状部材と、
この先端棒状部材の先端部に設けられた環状の第１の糸通し部と、
前記おもりの後端部より突出する後端棒状部材と、
この後端棒状部材の先端部に設けられた環状の第２の糸通し部と、
を備えていることを特徴とする請求項１又は２記載の魚釣り用おもり。
【発明の詳細な説明】
【技術分野】
【０００１】
本発明は、魚釣り用おもりに係り、特に、潮流等の流れによる魚釣り用おもりの転がりを防ぐことができる魚釣り用おもりに関する。
【背景技術】
【０００２】
魚釣り用おもりに翼を備えてものとして、例えば、飛行翼付天秤がある（例えば、特許文献１参照）。
この飛行翼付天秤は、錘の中央部側面部分左右に飛行翼潜水翼が水平方向に二枚、取り付けている。
【特許文献１】特開平１１−１３７１４１号公報
【発明の開示】
【発明が解決しようとする課題】
【０００３】
しかしながら、上述した飛行翼付天秤にあっては、飛行翼潜水翼が水平方向に二枚取り付けられているため、飛行翼付天秤が海等の底に接した場合、飛行翼潜水翼の下面より潮流等の流れを受け、飛行翼付天秤が転がり易いという問題点が生じた。
本発明は、上述した問題点に簡易に対応することができる魚釣り用おもりを提供するものである。
【課題を解決するための手段】
【０００４】
上記目的を達成するために、請求項１記載の魚釣り用おもりは、おもりと、このおもりの端部側であって前記おもりの一方の側面部に取り付けられた第１の水平翼と、前記おもりの前記端部側であって前記おもりの一方の側面部と反対側の他方の側面部に取り付けられた第２の水平翼と、前記おもりの端部側であって前記おもりの底面部に取り付けられた下方垂直尾翼とを備え、前記第１の水平翼及び前記第２の水平翼は、水平方向より前記下方垂直尾翼の側に傾斜しているものである。
【０００５】
また、請求項２記載の魚釣り用おもりは、請求項１記載の魚釣り用おもりにおいて、おもりは長手形状部材であり、前記長手形状部材の長手方向を横断する断面形状が前記おもりの先端部に近づくにつれ縮小するものであり、前記長手形状部材の長手方向を横断する断面形状が前記おもりの後端部に近づくにつれ縮小するものであり、前記おもりの重心は、前記おもりの先端部のセンターと前記おもりの後端部のセンターとを結ぶ線より下方にあり、下方垂直尾翼は、第１の水平翼と第２の水平翼との間の前記おもりの重心に近い側の前記おもりに取り付けられているものである。
【０００６】
また、請求項３記載の魚釣り用おもりは、請求項１又は２記載の魚釣り用おもりにおいて、おもりは長手形状部材であり、前記おもりの表面より突出する突出部と、この突出部は、前記おもりの長手方向を横断する断面形状が最大である部分に位置すると共に、前記おもりの長手方向に沿って設けられた長手形状である。
【０００７】
また、請求項４記載の魚釣り用おもりは、請求項１記載の魚釣り用おもりにおいて、おもりの先端部より突出する弾性変形可能な先端棒状部材と、この先端棒状部材の先端部に設けられた環状の第１の糸通し部と、前記おもりの後端部より突出する後端棒状部材と、この後端棒状部材の先端部に設けられた環状の第２の糸通し部とを備えているものである。
【発明の効果】
【０００８】
請求項１記載の魚釣り用おもりによれば、投げ釣りの場合、第１の水平翼、第２の水平翼及び下方垂直尾翼を有するため、飛行方向が安定し、所望する位置へ魚釣り用おもりを飛ばすことができ、しかも、おもりに取り付けられた第１の水平翼及び第２の水平翼は、水平方向より下方垂直尾翼の側に傾斜しているため、魚釣り用おもりが海等の底に着地した場合、水平方向より下方垂直尾翼の側に傾斜している分、潮流等の流れが第１の水平翼及び第２の水平翼の下面への流れ込みを防ぎ、潮流等の流れに対する転がろうとするおもりの抵抗を抑えることができる。
【０００９】
また、請求項２記載の魚釣り用おもりによれば、前述した請求項１記載の発明の効果に加え、おもりの重心は、前記おもりの先端部のセンターと前記おもりの後端部のセンターとを結ぶ線より下方にあり、下方垂直尾翼は、第１の水平翼と第２の水平翼との間の前記おもりの重心に近い側の前記おもりに取り付けられているため、魚釣り用おもりが飛行する際、重力により下方垂直尾翼が下、第１の水平翼、第２の水平翼が左右に位置させ、空中姿勢を安定させ、しかも、魚釣り用おもりが海等の底に着地した場合、下方垂直尾翼を海等の底に位置させ、潮流等の流れによる魚釣り用おもりの転がりを防ぐことができる。
【００１０】
また、請求項３記載の魚釣り用おもりによれば、前述した請求項１又は請求項２記載の発明の効果に加え、おもりの表面より突出する突出部と、この突出部は、前記おもりの長手方向を横断する断面形状が最大である部分に位置するため、突出部が海等の水平な底に位置した時、抵抗となって、潮流等の流れによる魚釣り用おもりの転がりを防ぐことができる。
【００１１】
また、請求項４記載の魚釣り用おもりによれば、前述した請求項１記載の発明の効果に加え、魚釣り用おもりを竿を使用して投げる場合、先端棒状部材は、道糸、ハリス、加速度、風等から力を受け、進行方向に向かって立ち上がるように変形するため、ハリスに取り付けられた釣り針が道糸に絡むのを防ぐことができる。
【実施例】
【００１２】
本発明の一実施例の魚釣り用おもりを図面を参照して説明する。
図１乃至図７において、Ａは魚釣り用おもりで、魚釣り用おもりＡは、おもり１と、このおもり１の端部側であって、おもり１の一方の側面部１Ｘ（図７参照）に取り付けられた第１の水平翼２と、おもり１の端部側であっておもり１の一方の側面部１Ｘと反対側の他方の側面部１Ｙ（図７参照）に取り付けられた第２の水平翼３とを備えている。
【００１３】
また、第１の水平翼２及び第２の水平翼３は、図７に示すように、水平方向より下方垂直尾翼４の側に傾斜している。傾斜は、潮流を最小限とするために、第１の水平翼２及び第２の水平翼３をそれぞれ水平より、例えば、１５度下がるように傾斜している。
４は下方垂直尾翼で、下方垂直尾翼４は、おもり１の端部側であっておもり１の底面部１Ｚ（図７参照）に取り付けられている。
第１の水平翼２、第２の水平翼３及び下方垂直尾翼４は、本実施例では、例えば、
プラスチックで一体に成形され、おもり１の端部側に嵌合（形状があったものを嵌め合わせること）させておもり１に取り付けられている。
第１の水平翼２及び第２の水平翼３のおもり１よりの張り出し量は、下方垂直尾翼４が海等の水平な底２０に位置した場合、第１の水平翼２又は第２の水平翼３が該水平な底２０に当接する長さに設定されている。例えば、おもり１の長手方向を横断する断面形状が最大である部分の直径をＤとすれば、第１の水平翼２又は第２の水平翼３の長さは、２Ｄである。
なお、第１の水平翼２、第２の水平翼３は、空中姿勢の安定と同時に、投げた時の加速度に比例して下からの空気抵抗を浮力に変え、おもり１をより上空により速くに運ぶことに役立つ。また、第１の水平翼２、第２の水平翼３は、海から引き揚げる時の水の浮力を下側から受けやすく浮き上がり現象を作り出す役割をする。
【００１４】
おもり１は長手形状部材であり、おもり１の長手方向を横断する断面形状は先端部１ａに近づくにつれ縮小し、また、おもり１の長手方向を横断する断面形状は後端部１ｂに近づくにつれ縮小するようになっている（図２参照）。
そして、おもり１の先端部１ａとおもり１の後端部１ｂを結ぶ線で断面した一方（図１で言えば、おもり１の上方部分）は他方（図１で言えば、おもり１の下方部分）より重量が軽く、重い側の他方のおもり１の端部側に下方垂直尾翼４が取り付けられている。
本実施例では、例えば、おもり１の上方部分の欠損した部分Ｍとほぼ同重量をおもり１の下方部分（突出部）Ｎに付加するようにしている。
下方部分Ｎは、おもりの表面より突出する突出部でもある。この突出部（下方部分）Ｎは、図２に示すように、おもり１の長手方向を横断する断面形状が最大である部分に位置すると共に、おもり１の長手方向に沿って設けられた長手形状である。そして、突出部（下方部分）Ｎは、図７に示すように、おもり１の先端部１ａのセンターとおもり１の後端部１ｂのセンターとを結ぶ線より下方にあるおもり１の重心Ｇより更に下方に位置しておもり１の表面より突出するものである。
このようにして、おもり１の重心Ｇ（図７参照）を、おもり１の先端部１ａのセンターとおもり１の後端部１ｂのセンターとを結ぶ線より下方に位置させ（図２及び図７参照）、下方垂直尾翼４は、第１の水平翼２と第２の水平翼３との間のおもり１の重心Ｇに近い側のおもり１に取り付けられている。
その結果、おもり１の重心Ｇが重力側（空中での飛行時、重い側が下になる状態）となるようにして空中姿勢を安定させると共に、おもり１が海等の水平な底２０に位置した場合においても、重い側が下になるようにしている（図６及び図７参照）。
なお、突出部（下方部分）Ｎは、図７に示すように、海等の水平な底２０に位置した時、抵抗となって、潮流等の流れ（図７の破線参照）による魚釣り用おもりＡの転がりを防ぐことができる。
【００１５】
６は先端棒状部材で、先端棒状部材６は、おもり１の先端部１ａより突出すると共に、弾性変形可能な材料で形成されている。７は、先端棒状部材６の先端部に設けられた環状の第１の糸通し部である。
なお、先端棒状部材６は、弾性変形可能な材料で形成しなくとも、例えば、図８及び図９（図８及び図９記載の本実施例においては、図１乃至図７と同一部分に同一符号を付してその説明を一部省略している。）に示すように、先端棒状部材６の中途にコイル状部材Ｋを介在させても良い。なお、先端棒状部材６の中途にコイル状部材Ｋを介在させるものとしては、図９に限らず、例えば、図１０に示すように、先端棒状部材６の中途を離間させ（離間させて曲がりやすくする。）、離間した一方の先端棒状部材６と離間した他方の先端棒状部材６とを溶接によりコイル状部材Ｋを介して一体化して、先端棒状部材６を弾性変形可能になるようにしても良い。また、コイル状部材Ｋの径は、釣り場、釣る魚種等によって変えるようにしても良く、コイル状部材Ｋの部分を任意の強度とすることが可能となり先端棒状部材６を曲がりやすくする。
更に、先端棒状部材６の中途にコイル状部材Ｋを介在させる以外、例えば、図１１に示すように、先端棒状部材６の中途に先端棒状部材６の断面積を小さく形成して先端棒状部材６を弾性変形可能になるようにしても良い。
８はおもり１の後端部１ｂより突出する後端棒状部材で、この後端棒状部材８の先端部には、環状の第２の糸通し部９が設けられている。１０は撚り戻し、１１は道糸、１２はハリス、１３は釣り針である。本実施例においては、道糸１１からハリス１２まで、ハリス１２から釣り針１３までが一本の手ぐすで直結となる故、どんな小さな魚でもあたりが完全に釣人に伝達されるようになっている。
【００１６】
従って、投げ釣りの場合、図５に示すように、竿３０を持って、岸からできるだけ遠くへ投げて、釣り針１３を投入する場合、第１の水平翼２、第２の水平翼３及び下方垂直尾翼４を有するため、飛行方向が大変良好に安定し（空中での飛行時、重い側が下になる状態）、所望する位置へ魚釣り用おもりＡを飛ばすことができ、しかも、先端棒状部材６は、図６に示すように、道糸１１、ハリス１２、加速度、風等から力を受け、進行方向に向かって立ち上がるように変形するため、つまり、おもり１の加速度に比例してｘの値は大きくなり、道糸１１から離れ、ハリス１２に取り付けられた釣り針１３が道糸１１に絡むのを防ぐことができ（なお、図６のおもり１の状況は、例えば、水平より約１５°〜３０°上向きの状態で飛んでいき、加速度が０に近づいた時に水平から下向におもり１が向かうようになる。）、加速度が減速するに従って、先端棒状部材６は弾性力（バネの力）によって水平に戻ろうとし、それに伴い、ハリス１２が図６の実線から一点鎖線、二点鎖線の状態へ移行する。海中に向かって落下していく時には、ハリス１２が図６の一点鎖線の状態で海中に突入することとなる。
更に、おもり１に取り付けられた第１の水平翼２及び第２の水平翼３は、水平方向より下方垂直尾翼４の側に傾斜しているため、魚釣り用おもりＡが海等の底２０に着地した場合、水平方向より下方垂直尾翼４の側に第１の水平翼２及び第２の水平翼３が傾斜している分、図７に示すように、潮流等の流れが第１の水平翼２及び第２の水平翼３の下面への流れ込みを防ぐことができ、潮流等の流れに対する転がろうとするおもり１の抵抗を抑えることができる。
【００１７】
なお、上述した実施例においては、先端棒状部材６と後端棒状部材８とを一直線上に設けたが、本願発明にあってはこれに限定されることなく、例えば、図１２に示すように、予め、先端棒状部材６を後端棒状部材８の延長線上から下方垂直尾翼４と反対の側へ鋭角の角度θ傾斜するようにおもり１に固定するようにしても良い（本実施例においては、図１乃至図７と同一部分に同一符号を付してその説明を一部省略している。）。
このようにすると、仮に、おもり１の空中姿勢において、下方垂直尾翼４が上になっても、先端棒状部材６が進行方向に向かって立ち上がるように変形するため、下方垂直尾翼４が下になるように空中姿勢を安定させることがより可能とすることができる。
【図面の簡単な説明】
【００１８】
【図１】図１は、本発明の一実施例の魚釣り用おもりの使用状態（例えば、海底での着地したときのおもりとハリスの状態）の概略的斜視図である。
【図２】図２は、図１の魚釣り用おもりの概略的縦断面図である。
【図３】図３は、図２の２−２線による概略的断面図である。
【図４】図４は、図２の３−３線による概略的断面図である。
【図５】図５は、図１の魚釣り用おもりを投げる状態を示す概略的説明図である。
【図６】図６は、図１の魚釣り用おもりの飛行状態の一過程の概略的側面図である。
【図７】図７は、図１の魚釣り用おもりが海等の底に着地した状態の概略的側面図である。
【図８】図８は、図１の魚釣り用おもりと異なる他の実施例の魚釣り用おもりの飛行状態の一過程の概略的側面図である。
【図９】図９は、図８の魚釣り用おもりの先端棒状部材の一部を拡大して示す概略的一部拡大側面図である。
【図１０】図１０は、図９の魚釣り用おもりの先端棒状部材の他の実施例の概略的一部拡大側面図である。
【図１１】図１１は、図１０の魚釣り用おもりの先端棒状部材の一変形例の概略的一部拡大側面図である。
【図１２】図１２は、 図８の魚釣り用おもりと異なる他の実施例の魚釣り用おもりの概略的側面図である。
【符号の説明】
【００１９】
Ａ  ・・・・・魚釣り用おもり
１  ・・・・・おもり
２  ・・・・・第１の水平翼
３  ・・・・・第２の水平翼
４  ・・・・・下方垂直尾翼
【要約】
【課題】
本発明は、潮流等の流れによる魚釣り用おもりの転がりを防ぐことができる魚釣り用おもりを提供することを目的としている。
【解決手段】
魚釣り用おもりＡは、おもり１と、このおもり１の端部側であっておもり１の一方の側面部に取り付けられた第１の水平翼２と、おもり１の前記端部側であっておもり１の一方の側面部と反対側の他方の側面部に取り付けられた第２の水平翼３と、おもり１の端部側であっておもり１の底面部に取り付けられた下方垂直尾翼４とを備え、第１の水平翼２及び第２の水平翼３は、水平方向より下方垂直尾翼４の側に傾斜しているものである。
【選択図】図７
【図１】
0003625213.tif 000002
【図２】
0003625213.tif 000003
【図３】
0003625213.tif 000004
【図４】
0003625213.tif 000005
【図５】
0003625213.tif 000006
【図６】
0003625213.tif 000007
【図７】
0003625213.tif 000008
【図８】
0003625213.tif 000009
【図９】
0003625213.tif 000010
【図１０】
0003625213.tif 000011
【図１１】
0003625213.tif 000012
【図１２】
0003625213.tif 000013